(57)【要約】【課題】  現金の積み増しなどの非接触式ＩＣカードに対するデータの読み込み及び書き込みを一定時間掛けて行う際に、カードケースに収容したままで処理することができる非接触式ＩＣカード用リーダライタ装置を提供する。【解決手段】  非接触式ＩＣカードに対してデータの読み込み及び書き込みを行う非接触式ＩＣカード用リーダライタ装置１であって、前記非接触式ＩＣカードを収容したカード携帯ケースを保持できるホルダ部１０が備えられ、ホルダ部１０に保持された前記非接触式ＩＣカードに対向するように、アンテナ２７が配置されていることを特徴とする。【選択図】  図１
2007052635.tif 000002
【特許請求の範囲】
【請求項１】
非接触式ＩＣカードに対してデータの読み込み及び書き込みを行う非接触式ＩＣカード用リーダライタ装置であって、
前記非接触式ＩＣカードを収容したカードケースを保持できるホルダ部が備えられ、該ホルダ部に保持された前記非接触式ＩＣカードに対向するように、アンテナが配置されていることを特徴とする非接触式ＩＣカード用リーダライタ装置。
【請求項２】
前記ホルダ部は開閉可能な構成とされ、前記ホルダ部を閉止した状態で、前記非接触式ＩＣカードと前記アンテナとが対向するように配置されることを特徴とする請求項１に記載の非接触式ＩＣカード用リーダライタ装置。
【請求項３】
前記ホルダ部には、前記非接触式ＩＣカードに対するデータの読み込み及び書き込み作業中に、前記非接触式ＩＣカードを動かすことができないように、ロック機構が備えられていることを特徴とする請求項１または請求項２に記載の非接触式ＩＣカード用リーダライタ装置。
【発明の詳細な説明】
【技術分野】
【０００１】
本発明は、非接触式ＩＣカードに対してデータの読み込み及び書き込みを行う非接触式ＩＣカード用リーダライタ装置に関する。
【背景技術】
【０００２】
近年、非接触式ＩＣカード（記憶回路や制御回路等の集積回路を内蔵し、データの交換を非接触で行うことができるキャッシュカード、クレジットカード、プリペイドカードあるいは定期券等）の開発が進み、多くの分野で実用化されており（特許文献１及び特許文献２参照）、特に、駅の改札で使用される定期券やプリペイドカードとして広く使用されている。
【０００３】
このような非接触式ＩＣカードは一般にカードケースの中に収容された状態で、利用者に携帯されており、定期券として使用されている非接触式ＩＣカードなどはパスケースの中に収容されていることが多い。そして、駅の改札等では定期券等の非接触式ＩＣカードをパスケースに収容したままで改札ゲートに設けられたカード読み取り部にかざす。すると、瞬時に非接触式ＩＣカードに対してデータの読み込み及び書き込みが行われ、改札を通過できる構成とされており、従来の磁気式定期券と比べて定期券をパスケースから取り出す必要がなく、利用者の利便性向上が図られている。
【０００４】
これらの非接触式ＩＣカードは、プリペイドカードや定期券などの本来の機能のみでなく、電子マネーの記録媒体としても利用されている。電子マネーを使用する際には、非接触式ＩＣカードに現金及び預金を電子マネーとして積み増しする必要がある。この非接触式ＩＣカードへの電子マネーの積み増し作業においては、非接触式ＩＣカードのデータの読み込み及び書き込みを確実に行うために一定時間を要し、この処理中に非接触式ＩＣカードを保持しておく必要がある。
【０００５】
このように、非接触式ＩＣカードを一定時間保持してデータの読み込み及び書き込みを行う非接触式ＩＣカード用リーダライタ装置の例としては、ＩＣテレフォンカード用の公衆電話機がある。公衆電話機にカードポケットが備えられており、このカードポケットの内部にＩＣテレフォンカードに対してデータを読み込み及び書き込みを行うアンテナが配備されたものである。この公衆電話機にて通話する際には、ＩＣテレフォンカードを通話中継続してカードポケットに載置しておく。すると、一定の通話時間経過毎にＩＣテレフォンカードから所定の金額が徴収されるのである。
【０００６】
また、非接触式ＩＣカード用リーダライタ装置の他の例としては、非接触式ＩＣカードを装置内部に収容する引き込み機構を有するものが挙げられる（特許文献３参照）。このリーダライタ装置では、非接触式ＩＣカードをリーダライタ装置内に引き込み、装置内部でデータの読み取り及び書き込みを行うものである。
【特許文献１】特開２００２−１４０７４３号公報
【特許文献２】特開平０９−２３１３３３号公報
【特許文献３】特開２００１−２５０１３５号公報
【発明の開示】
【発明が解決しようとする課題】
【０００７】
しかしながら、従来の非接触式ＩＣカード用リーダライタ装置では、上述のように非接触式ＩＣカード単独でカードポケットに載置したり、装置内に挿入したりする必要があった。このため、利用者はカードケースから非接触式ＩＣカードを取り出す必要があり非常に不便であった。とくに、定期券等として使用される非接触式ＩＣカードは、通常の使用時にはパスケースから取り出す必要がないにもかかわらず、電子マネーの積み増しなどを行う際にパスケースから非接触式ＩＣカードを取り出す必要があり、利用者にとって非常に面倒な作業であった。
【０００８】
また、非接触式ＩＣカードの引き込み機構を有するリーダライタ装置では、構造が複雑であり、製造コストが高くなるといった問題や、メンテナンス作業に時間と労力が必要になるといった問題があった。
【０００９】
本発明は、上述の事情に鑑みてなされたものであって、電子マネーの積み増しなどの非接触式ＩＣカードに対するデータの読み込み及び書き込みを一定時間掛けて行う際に、非接触式ＩＣカードをカードケースに収容したままで処理することができる非接触式ＩＣカード用リーダライタ装置を提供することを目的とする。
【課題を解決するための手段】
【００１０】
上記の目的を達成するために、この発明は以下の手段を提案している。
請求項１に記載の非接触式ＩＣカード用リーダライタ装置は、非接触式ＩＣカードに対してデータの読み込み及び書き込みを行う非接触式ＩＣカード用リーダライタ装置であって、前記非接触式ＩＣカードを収容したカードケースを保持できるホルダ部が備えられ、該ホルダ部に保持された前記非接触式ＩＣカードに対向するように、アンテナが配置されていることを特徴としている。
【００１１】
請求項２に記載の非接触式ＩＣカード用リーダライタ装置は、前記ホルダ部は開閉可能な構成とされ、前記ホルダ部を閉止した状態で、前記非接触式ＩＣカードと前記アンテナとが対向するように配置されることを特徴としている。
【００１２】
請求項３に記載の非接触式ＩＣカード用リーダライタ装置は、前記ホルダ部には、前記非接触式ＩＣカードに対するデータの読み込み及び書き込み作業中に、前記非接触式ＩＣカードを動かすことができないように、ロック機構が備えられていることを特徴としている。
【発明の効果】
【００１３】
請求項１に記載の発明によれば、ホルダ部がカードケース毎保持できる構成とされているので、非接触式ＩＣカードをパスケースなどに収容したままで非接触式ＩＣカード用リーダライタ装置にセットすることができる。また、ホルダ部に保持された非接触式ＩＣカードに対向するようにアンテナが配置されているので、非接触式ＩＣカードのデータの読み込み及び書き込みを確実に行うことができる。
【００１４】
また、複雑な引き込み機構等を設ける必要がなく、この装置自体を簡単な構成とすることができるので、この非接触式ＩＣカード用リーダライタ装置を低コストで製造することができるとともに、メンテナンスが容易となり、メンテナンス作業に時間と労力を大幅に削減できる。
【００１５】
請求項２に記載の発明によれば、ホルダ部が開閉可能とされているので、非接触式ＩＣカードをパスケース毎挿入する際にホルダ部を開放しておき、データの読み込み及び書き込みを行う際にはホルダ部を閉止しておくことができる。したがって、非接触式ＩＣカードに対するデータの読み込み及び書き込み作業中に非接触式ＩＣカードが不意に取り出されたり移動されたりすることを防止でき、非接触式ＩＣカードに対するデータの読み込み及び書き込み作業を確実に行うことができる。
【００１６】
請求項３に記載の発明によれば、ロック機構が備えられているので、データの読み込み及び書き込み作業中に非接触式ＩＣカードが取り出されることをさらに確実に防止でき、非接触式ＩＣカードに対するデータの読み込み及び書き込み作業をさらに確実に行うことができる。
【００１７】
このように、本発明によれば、電子マネーの積み増しなどの非接触式ＩＣカードに対するデータの読み込み及び書き込みを一定時間掛けて行う際に、非接触式ＩＣカードをカードケースに収容したままで処理することができる非接触式ＩＣカード用リーダライタ装置を提供することができる。
【発明を実施するための最良の形態】
【００１８】
本発明の実施形態について添付した図面を参照して説明する。図１から図３に本発明の実施形態である非接触式ＩＣカード用リーダライタ装置に備えられたホルダ部の周辺を示す。
本実施形態である非接触式ＩＣカード用リーダライタ装置１は、定期券として使用される非接触式ＩＣカードに、現金及び預金を電子マネーとして積み増しする際に使用されるものである。
【００１９】
非接触式ＩＣカード用リーダライタ装置１には、非接触式ＩＣカードを保持するホルダ部１０が備えられるとともに、このホルダ部１０が収納される凹部１１が形成されている。
ホルダ部１０は、例えばアクリル樹脂などの透明プラスチック部材で構成されており、ホルダ部１０の内部にカード等が保持されているかを外部から視認できる構成とされている。
【００２０】
ホルダ部１０は、定期券として使用される非接触式ＩＣカードを収容したパスケースを保持可能な構成とされている。本実施形態では、パスケースとして、長さが約１１０ｍｍ、幅が約７５ｍｍ、厚さ約９ｍｍのものを想定しており、ホルダ部１０の大きさは、高さＨが１１５ｍｍ、幅Ｗが８０ｍｍ、厚さＴが１０ｍｍとされている。
このホルダ部１０の上部には、傾斜するように開口されたカード（パスケース）挿入口１２が形成されており、このカード（パスケース）挿入口１２には、指を掛けるための掛止部１３が設けられている。また凹部１１の上方壁面には、指を挿入しやすくするために切欠部１４が形成されている。
【００２１】
このホルダ部１０の背面側（図１において右側）には、ホルダ部１０の背面から突出するように配置された係止部材１５が備えられており、この係止部材１５には、図１に示すように断面三角形をなす係止凹部１６が形成されている。
ホルダ部１０が収納される凹部１１の内部には、ホルダ部１０を閉止状態で固定するロック機構１７が備えられている。回転支軸１８を中心として回転可能に支持された棒状のロック部材１９が配置されており、このロック部材１９の一端には、ロック解除用ソレノイド２０のロッド部２０Ａと、このロック解除用ソレノイド２０に対向するように配置されたロック用スプリング２１とが接続されている。これら回転支軸１８と、ロック部材１９と、ロック解除用ソレノイド２０と、ロック用スプリング２１とがロック機構１７を構成しているのである。
そして、このロック部材１９の他端側には、ホルダ部１０に備えられた係止部材１５の係止凹部１６に係合可能な係止爪部１９Ａが形成されている。
【００２２】
また、ホルダ部１０の底面には、図１及び図３に示すように、下側に向けて突出した一対の連結部材２２が備えられており、この連結部材２２を貫通するように回転軸部２３が配置されている。
一方の連結部材２２には、このホルダ部１０の開閉機構２４が備えられている。連結部材２２の一端、つまり、ホルダ部１０と回転軸部２３を介して対向する部分には、閉止用ソレノイド２５のロッド部２５Ａが接続されており、この閉止用ソレノイド２５と対向するように開放用スプリング２６が配置されている。これら回転軸部２３と、閉止用ソレノイド２５と、開放用スプリング２６とが、ホルダ部１０の開閉機構２４を構成しているのである。
【００２３】
また、ホルダ部１０が収納される凹部には、非接触式ＩＣカードに対してデータの読み込み及び書き込みを行うためのアンテナ２７が配置されている。このアンテナ２７は、ホルダ部１０に保持された非接触式ＩＣカード表面と対向する位置に配置されている。
【００２４】
次に、このホルダ部１０の開閉動作について説明する。まず、ロック解除用ソレノイド２０のロッド部２０Ａを引き込んでロック部材１９を回転支軸１８中心に回転させ、ロック部材１９の一端に設けられた係止爪部１９Ａをホルダ部１０の係止凹部１６から外す。この際には、ロック用スプリング２１が引き伸ばされることになる。そして、開放用スプリング２６の収縮力によってホルダ部１０が回転軸部２３を中心に回転し、ホルダ部１０が開放されることになる。ここで、ロックが解除された状態で、指を切欠部１４から挿入してホルダ部１０の掛止部１３に掛けてホルダ部１０を開放してもよい。
【００２５】
一方、ホルダ部１０を閉止する際には、まず、閉止用ソレノイド２５のロッド部２５Ａを引き込んでホルダ部１０を回転支軸１８中心に回転させる。この際、開放用スプリング２６が引き伸ばされた状態となる。次に、ロック解除用ソレノイド２０のロッド部２０Ａの引き込みを解除する。すると、ロック用スプリング２１が収縮し、これに伴ってロック部材１９が回転軸部２３を中心に回転し、係止爪部１９Ａがホルダ部１０の係止凹部１６に係合されてホルダ部１０が固定される。
【００２６】
次に、この非接触式ＩＣカード用リーダライタ装置１でのデータの読み込み及び書き込み作業について説明する。非接触式ＩＣカードに対するデータの読み込み及び書き込みは、ホルダ部１０内に非接触式ＩＣカードが挿入されていることを検知するとともに、ホルダ部１０が閉止されてロックされている信号を受けたことを条件として開始する。また、データの読み込み及び書き込み作業の途中でロックが解除されたり、ホルダ部１０が開放されたりした場合には、エラー信号を出力して作業を中止する構成としている。
【００２７】
本実施形態による非接触式ＩＣカード用リーダライタ装置１では、ホルダ部１０の厚さが１０ｍｍとされており、非接触式ＩＣカードをパスケースに収容したまま、パスケース毎ホルダ部１０に挿入することができるので、非接触式ＩＣカードに現金等を電子マネーとして積み増しする際にもパスケースから非接触式ＩＣカードを取り出す必要がなく、利用者が快適に非接触式ＩＣカードを使用することができる。
【００２８】
ホルダ部１０が開閉可能な構成とされるとともに、ホルダ部１０が閉止状態でロックされるので、非接触式ＩＣカードに対するデータの読み取り及び書き込み作業中に、不意に非接触式ＩＣカードが抜き取られたり、移動されたりしてアンテナ２７との交信ができなくなるおそれがなく、データの読み取り及び書き込み作業を確実に行うことができる。
【００２９】
また、非接触式ＩＣカードに対するデータの読み込み及び書き込みを、ホルダ部１０の閉止及びロック状態でのみ行う構成としているので、非接触式ＩＣカードに対する読み込み及び書き込み作業をさらに確実に行うことができる。
【００３０】
さらに、この非接触式ＩＣカード用リーダライタ装置１では、カード引き込み機構を設けていないので、非接触式ＩＣカード用リーダライタ装置１が簡単な構成とされており、この非接触式ＩＣカード用リーダライタ装置１を低コストで製造できるとともに、メンテナンス作業を簡単に行うことができる。
【００３１】
また、ホルダ部１０がアクリル樹脂などの透明プラスチック部材で構成されており、ホルダ部１０の内部に非接触式ＩＣカード等が保持されているかを外部から視認できる構成とされているので、非接触式ＩＣカード用リーダライタ装置１を処理していることを確認でき、ホルダ部１０を不意に開放してしまうことを防止できる。
【００３２】
以上、本実施形態について説明したが、本発明はこれに限定されることはなく、その発明の技術的思想を逸脱しない範囲で適宜変更可能である。
本実施形態では、非接触式ＩＣカードを電子マネーの記録媒体とし、この非接触式ＩＣカードに現金や預金を電子マネーとして積み増しする非接触式ＩＣカード用リーダライタ装置として説明したが、これに限定されることはなく、例えば、会場などへの入場の際の電子チケットとして非接触式ＩＣカードにデータの書き込みを行う非接触式ＩＣカード用リーダライタ装置であってもよい。
【００３３】
また、ホルダ部の開閉機構を、ソレノイドとスプリングを組み合わせた構成として説明したが、これに限定されることはなく、例えば駆動モータを利用した開閉機構を有するものであってもよい。
さらに、ホルダ部のロック機構についても、本実施形態に制限されることはなく、他のロック機構であってもよい。
【００３４】
また、ホルダ部の大きさを、高さＨが１１５ｍｍ、幅Ｗが８０ｍｍ、厚さＴが１０ｍｍとしたもので説明したが、これに限定されることはなく、パスケースなどを保持できる大きさであればよい。
【図面の簡単な説明】
【００３５】
【図１】本発明の実施形態である非接触式ＩＣカード用リーダライタ装置のホルダ部周辺の説明図である。
【図２】図１のホルダ部を開放した状態を示す説明図である。
【図３】図１の正面図である。
【符号の説明】
【００３６】
１  非接触式ＩＣカード用リーダライタ装置
１０  ホルダ部
１７  ロック機構
２７  アンテナ
【図１】
2007052635.tif 000003
【図２】
2007052635.tif 000004
【図３】
2007052635.tif 000005